(57)【要約】【課題】空気通路を構成する部材および該空気通路に配設される部材を取り外し可能とすることにより、これらの部材を分解洗浄できるようにする。【解決手段】前面に空気吸込口３を有し且つ少なくとも上面に空気吹出口４を有する本体ケーシング１内に形成される空気通路５に、吸込空気の汚れを除去するフィルタ６が着脱自在に取り付けられるフィルタ収納部材７とファン２とを上流側から下流側に順次配設してなる空気清浄機において、前記本体ケーシング１における前面を構成する前面部材１ａ、前記フィルタ収納部材７および前記ファン２を前記本体ケーシング１に対して着脱自在として、空気通路５を構成する部材（例えば、前面部材１ａやフィルタ収納部材７）および該空気通路５に配設される部材（例えば、ファン２）を本体ケーシング１から取り外すことができるようにしている。【選択図】        図２
2004211990.tif 000002
【特許請求の範囲】
【請求項１】
前面に空気吸込口を有し且つ少なくとも上面に空気吹出口を有する本体ケーシング内に形成される空気通路に、吸込空気の汚れを除去するフィルタが着脱自在に取り付けられるフィルタ収納部材とファンとを上流側から下流側に順次配設してなる空気清浄機であって、前記本体ケーシングにおける前面を構成する前面部材、前記フィルタ収納部材および前記ファンを前記本体ケーシングに対して着脱自在としたことを特徴とする空気清浄機。
【請求項２】
前記ファンを、円板形状の主板の外周部前面に多数の羽根を仮想環状に形成してなるファンロータと該ファンロータを被包し且つその吐出口が前記空気吹出口に臨まされるスクロールタイプのファンケーシングとからなる遠心ファンにより構成するとともに、前記ファンロータと前記ファンケーシングとを分離可能に構成したことを特徴とする前記請求項１記載の空気清浄機。
【請求項３】
前記ファンの駆動源であるファンモータを、該ファンの背面側における前記空気通路の外側において前記本体ケーシングの背面板に固定したことを特徴とする前記請求項２記載の空気清浄機。
【請求項４】
前記空気吹出口には、前記本体ケーシングに対して着脱自在とされる吹出口キャップを設けたことを特徴とする前記請求項１、２および３のいずれか一項記載の空気清浄機。
【請求項５】
前記吹出口キャップの取り外し時にのみ、前記ファンの着脱が可能となるように構成したことを特徴とする前記請求項４記載の空気清浄機。
【発明の詳細な説明】
【０００１】
【発明の属する技術分野】
本願発明は、空気清浄機に関し、さらに詳しくは分解洗浄を可能とした空気清浄機に関するものである。
【０００２】
【従来の技術】
従来から、ファンとフィルターとを備えた種々のタイプの空気清浄機が知られている。この種空気清浄機は、ファンを用いて空気を強制的にフィルターに送給して、該フィルターを通過させる過程で空気中の塵埃や臭気をフィルターに捕捉させて空気を清浄化することとなっている。
【０００３】
上記空気清浄機の一例として、例えば、空気吸込口と空気吹出口とを有する本体ケーシングと、該本体ケーシングに内蔵されたファンと、該ファンの吸込側となる前記空気吸込口の内方にフィルタユニットを着脱自在に配設する構造のものがある（特許文献１）。
【０００４】
【特許文献１】
実開平５−６７３３８号公報。
【０００５】
【発明が解決しようとする課題】
上記特許文献１に開示されている空気清浄機の場合、フィルタユニットは着脱自在とされているものの、空気吸込口から空気吹出口に至る空気通路に配設されている部材（例えば、ファン等）は着脱ができない構造となっている。
【０００６】
しかしながら、この種空気清浄機においては、フィルタに寿命があるとともに、長時間の使用により空気通路を構成する部材および該空気通路に配設されている部材（例えば、ファン等）にも汚れが付着することとなる。従って、フィルタの交換が必要にことは勿論であるが、空気通路を構成する部材および該空気通路に配設された部材（例えば、ファン等）を取り外して洗浄する必要がある。上記特許文献１に開示されている空気清浄機では、このような要求に対処することができない。
【０００７】
本願発明は、上記の点に鑑みてなされたもので、空気通路を構成する部材および該空気通路に配設される部材を取り外し可能とすることにより、これらの部材を分解洗浄できるようにすることを目的としている。
【０００８】
【課題を解決するための手段】
本願発明では、上記課題を解決するための第１の手段として、前面に空気吸込口を有し且つ少なくとも上面に空気吹出口を有する本体ケーシング内に形成される空気通路に、吸込空気の汚れを除去するフィルタが着脱自在に取り付けられるフィルタ収納部材とファンとを上流側から下流側に順次配設してなる空気清浄機において、前記本体ケーシングにおける前面を構成する前面部材、前記フィルタ収納部材および前記ファンを前記本体ケーシングに対して着脱自在としている。
【０００９】
上記のように構成したことにより、空気吸込口から空気吹出口に至る空気通路を構成する部材（例えば、前面部材やフィルタ収納部材）および該空気通路に配設される部材（例えば、ファン）を本体ケーシングから取り外すことができることとなり、フィルタの交換は勿論のこと、空気通路を構成する部材（例えば、前面部材やフィルタ収納部材）および該空気通路に配設される部材（例えば、ファン）を分解洗浄することができる。
【００１０】
本願発明では、さらに、上記課題を解決するための第２の手段として、上記第１の手段を備えた空気清浄機において、前記ファンを、円板形状の主板の外周部前面に多数の羽根を仮想環状に形成してなるファンロータと該ファンロータを被包し且つその吐出口が前記空気吹出口に臨まされるスクロールタイプのファンケーシングとからなる遠心ファンにより構成するとともに、前記ファンロータと前記ファンケーシングとを分離可能に構成することもでき、そのように構成した場合、ファンを、ファンロータとファンケーシングとに分解することができることとなり、ファンロータおよびファンケーシングを丸洗いすることができる。
【００１１】
本願発明では、さらに、上記課題を解決するための第３の手段として、上記第２の手段を備えた空気清浄機において、前記ファンの駆動源であるファンモータを、該ファンの背面側における前記空気通路の外側において前記本体ケーシングの背面板に固定することもでき、そのように構成した場合、本体ケーシングから取り外さない方がよいファンモータが空気通路の外側に位置することとなるため、ファンモータへの汚れの付着が極めて少ないものとなる。
【００１２】
本願発明では、さらに、上記課題を解決するための第４の手段として、上記第１、第２又は第３の手段を備えた空気清浄機において、前記空気吹出口に、前記本体ケーシングに対して着脱自在とされる吹出口キャップを設けることもでき、そのように構成した場合、吹出口キャップを本体ケーシングから取り外すことが可能となり、吹出口キャップの洗浄を容易に行うことができる。
【００１３】
本願発明では、さらに、上記課題を解決するための第５の手段として、上記第４の手段を備えた空気清浄機において、前記吹出口キャップの取り外し時にのみ、前記ファンの着脱が可能となるように構成することもでき、そのように構成した場合、吹出口キャップを取り外さないかぎり、ファンの着脱ができないこととなり、不用意なファンの着脱による事故を防止することができる。
【００１４】
【発明の実施の形態】
以下、添付の図面を参照して、本願発明の好適な実施の形態について説明する。
【００１５】
この空気清浄機は、前面を構成する前面部材１ａに空気吸込口３を、上面１ｂに空気吹出口４を有する矩形箱形状の本体ケーシング１と、該本体ケーシング１に内蔵された遠心ファン２とを備えて構成されている。
【００１６】
前記本体ケーシング１内には、前記空気吸込口３から前記空気吹出口４に至る空気通路５が形成されており、該空気通路５には、吸込空気Ｗの汚れを除去するフィルタ６（集塵フィルタ６Ａと除塵フィルタ６Ｂとをユニット化したもの）が着脱自在に取り付けられるフィルタ収納部材７と前記遠心ファン２とが上流側から下流側に順次配設されている。
【００１７】
前記前面部材１ａ、前記フィルタ収納部材７および前記遠心ファン２は前記本体ケーシング１に対して着脱自在とされている。
【００１８】
前記前面部材１ａは、前記フィルタ収納部材７の前面を覆うように前記本体ケーシング１に対して該本体ケーシング１の前面下部に形成された操作パネル部１ｃを残した状態で取り外し自在に取り付けられている。該操作パネル部１ｃには、ＯＮ／ＯＦＦスイッチ等が設けられている。
【００１９】
前記フィルタ収納部材７は、図１ないし図３に示すように、円形形状の空気流通口９を有する矩形形状の基板８を有しており、該基板８の前面には、前記フィルタ６を収納するための矩形形状の環状突壁１０が一体に突設されている。前記空気流通口９には、指等の挿入を阻止するためのファンガード１１が設けられており、該ファンガード１１の略中央部には、該ファンガード１１を前記基板８に対して支持するための放射状の支持リブ１２，１２・・の内端が連結される横コ字状の遮閉部材１３が設けられている。該遮閉部材１３は、前記基板８の前面より前方に突出せしめられており、前記環状突壁１０内に収納されたフィルタ６の位置決め部材として作用するようになっている。また、前記遮閉部材１３の背面側には、後述するファンモータ３１の回転軸３１ａの先端に螺着される軸キャップ３４を挿入可能な凹部１４が形成されている。さらに、前記基板８の前面側には、前記環状突壁１０の内方において吸込空気を前記空気流通口９へ導くための多数の放射リブ１５，１５・・が一体に形成されている。
【００２０】
また、前記基板８の背面側には、前記空気流通口９の口縁を背面側に突出させてなるベルマウス１６が形成されている。該ベルマウス１６の先端部は、吸込空気Ｗが後述するファンロータ２０内に吸い込まれ易いようにその吸込口２０ａに挿入されることとなっている。また、前記基板８の背面側には、前記ベルマウス１６の外側に位置して後述するファンケーシング２１の前端部が内挿される位置決め用リブ１７が一体に突設されている。該位置決め用リブ１７は、前記ファンケーシング２１における吐出口２１ａを除く部分を内挿できるように一部（即ち、吐出口２１ａに対応する部分）が欠除された略環状とされている。
【００２１】
このフィルタ収納部材７は、前記本体ケーシング１内に形成された段部１８に前記基板８を当接することにより位置決めされた状態で、該段部１８より前面側のフィルタユニット収納部１９に着脱自在に収納されることとなっている。
【００２２】
前記遠心ファン２は、図１、図２および図４に示すように、中央部に前面側に突出した円形凹部２２ａを有する断面ハット形状の主板２２の外周部前面に多数の羽根２３，２３・・を仮想環状に形成してなるファンロータ２０と該ファンロータ２０を被包し且つその吐出口２１ａが前記空気吹出口４に臨まされるスクロールタイプのファンケーシング２１とからなっている。該ファンケーシング２１は、内部に防音材２４を充填した防音二重構造とされており、その背面板２１ｂの中央部には、後述するファンモータ３１が挿入される円形開口２５が形成されている。符号２６は二重構造部の背面側を閉塞する蓋板である。また、このファンケーシング２１は、前記本体ケーシング１内において空気吹出口４が形成されている部分に形成されたファン収納部２７に着脱自在に収納されるが、該ファン収納部２７における背面側（即ち、本体ケーシング１の背面板１ｂ）の上部から一体に突設されたリブ２８にファンケーシング２１の上部を内挿することにより位置決めされることとなっている。また、前記ファン収納部２７の底部には、係合リブ２９が一体に立設されており、ファンケーシング２１の背面側外周に一体に形成された鍔部３０の下部を前記係合リブ２９に係合させた後、ファンケーシング２１の上部を前記リブ２８に内挿する位置まで押し込むことにより、ファンケーシング２１はファン収納部２７に収納されることとなっている。このようにすると、ファンケーシング２１と本体ケーシング背面板１ｂとの間に空間部３８が形成されることとなる。該空間部３８は遠心ファン２の運転音が外部へ漏れ出るのを抑制する作用を有しているが、この空間部３８に防音材３９を充填すれば、防音効果がより一層向上する。また、防音材３９を充填した場合、該防音材３９と前記係合リブ２９との間にファンケーシング２１の鍔部３０を挟持することができることとなり、ファンケーシング２１の組付状態を安定させることもできる。
【００２３】
前記ファンロータ２０を回転駆動させる駆動源となるファンモータ３１は、前記本体ケーシング１の背面板１ｂから前向きに一体に突設された環状部材３２に対して固定されており、該ファンモータ３１は、前記ファンロータ２０における円形凹部２２ａ内に挿入されている。該円形凹部２２ａの中心部には、前記ファンモータ３１の回転軸３１ａが嵌挿される軸受穴３３が形成されており、前記回転軸３１ａは、前記軸受穴３３に嵌挿された状態で、その先端に軸キャップ３４を螺着することによりファンロータ２０と結合されることとなっている。符号３５，３６はワッシャである。そして、前記軸キャップ３４は、前記フィルタ収納部材７のファンガード１１の中央部に形成された凹部１４内に収納されることとなっている。このようにすると、空気清浄機における軸方向寸法（換言すれば、前後方向寸法）を可及的に小さくできる。
【００２４】
さらに、前記空気吹出口４には、吹出口キャップ３７が着脱自在に設けられており、該吹出口キャップ３７には、前記空気吹出口４に嵌挿される筒体３７ａが一体に垂設されている。該筒体３７ａは、前記吹出口キャップ３７の装着時において前記ファンケーシング２１の吐出口２１ｂに係合することとなっている。このようにすると、吹出口キャップ３７を取り外さないかぎり、ファンケーシング２１（換言すれば、遠心ファン２）の着脱ができないこととなり、不用意なファン２の着脱による事故を防止することができる。
【００２５】
上記のように構成された空気清浄機においては、次のような作用効果が得られる。
【００２６】
この空気清浄機においては、遠心ファン２の駆動により空気吸込口３から吸い込まれた室内空気Ｗがフィルタ６を通過する過程で集塵および除塵されて清浄化された後、空気吹出口４から室内へ吹き出され、室内空気の清浄化に寄与することとなっている。
【００２７】
ところで、この種の空気清浄機は、長時間使用していると、フィルタ６の機能が低下するところから、フィルタ６を新しいものと交換する必要が生じるとともに、空気吸込口３から空気吹出口４に至る空気通路５を構成する部材や空気通路５に配設される部材（例えば、フィルタ収納部材７、遠心ファン２等）に汚れが付着する。
【００２８】
そのような場合、本実施の形態においては、図２に示すように、本体ケーシング１から前面部材１ａを取り外せば、フィルタ６の交換を容易に行うことができる。また、空気通路５を構成する部材（例えば、前面部材１ａやフィルタ収納部材７）および該空気通路５に配設される部材（例えば、遠心ファン２）を本体ケーシング１から取り外せば、これらの部材を分解洗浄することができる。しかも、ファンロータ２０とファンケーシング２１とが分離可能に構成されているため、ファンロータ２０およびファンケーシング２１を丸洗いすることもできる。
【００２９】
なお、ファンモータ３１は、遠心ファン２の背面側における空気通路５の外側において本体ケーシング１の背面板１ｂに固定されているため、ファンモータ３１への汚れの付着が極めて少ないものとなる。
【００３０】
本実施の形態においては、本体ケーシングの上面に空気吹出口を有するものについて説明したが、本願発明は、本体ケーシングの上面の他に側面等に空気吹出口を有するものにも適用可能なことは勿論である。
【００３１】
【発明の効果】
本願発明の第１の手段によれば、前面に空気吸込口を有し且つ少なくとも上面に空気吹出口を有する本体ケーシング内に形成される空気通路に、吸込空気の汚れを除去するフィルタが着脱自在に取り付けられるフィルタ収納部材とファンとを上流側から下流側に順次配設してなる空気清浄機において、前記本体ケーシングにおける前面を構成する前面部材、前記フィルタ収納部材および前記ファンを前記本体ケーシングに対して着脱自在としているので、空気吸込口から空気吹出口に至る空気通路を構成する部材（例えば、前面部材やフィルタ収納部材）および該空気通路に配設される部材（例えば、ファン）を本体ケーシングから取り外すことができることとなり、フィルタの交換は勿論のこと、空気通路を構成する部材（例えば、前面部材やフィルタ収納部材）および該空気通路に配設される部材（例えば、ファン）を分解洗浄することができるという効果がある。
【００３２】
本願発明の第２の手段におけるように、上記第１の手段を備えた空気清浄機において、前記ファンを、円板形状の主板の外周部前面に多数の羽根を仮想環状に形成してなるファンロータと該ファンロータを被包し且つその吐出口が前記空気吹出口に臨まされるスクロールタイプのファンケーシングとからなる遠心ファンにより構成するとともに、前記ファンロータと前記ファンケーシングとを分離可能に構成することもでき、そのように構成した場合、ファンを、ファンロータとファンケーシングとに分解することができることとなり、ファンロータおよびファンケーシングを丸洗いすることができる。
【００３３】
本願発明の第３の手段におけるように、上記第２の手段を備えた空気清浄機において、前記ファンの駆動源であるファンモータを、該ファンの背面側における前記空気通路の外側において前記本体ケーシングの背面板に固定することもでき、そのように構成した場合、本体ケーシングから取り外さない方がよいファンモータが空気通路の外側に位置することとなるため、ファンモータへの汚れの付着が極めて少ないものとなる。
【００３４】
本願発明の第４の手段におけるように、上記第１、第２又は第３の手段を備えた空気清浄機において、前記空気吹出口に、前記本体ケーシングに対して着脱自在とされた吹出口キャップを設けることもでき、そのように構成した場合、吹出口キャップを本体ケーシングから取り外すことが可能となり、吹出口キャップの洗浄を容易に行うことができる。
【００３５】
本願発明の第５の手段におけるように、上記第４の手段を備えた空気清浄機において、前記吹出口キャップの取り外し時にのみ、前記ファンの着脱が可能となるように構成することもでき、そのように構成した場合、吹出口キャップを取り外さないかぎり、ファンの着脱ができないこととなり、不用意なファンの着脱による事故を防止することができる。
【図面の簡単な説明】
【図１】本願発明の実施の形態にかかる空気清浄機の縦断面図である。
【図２】本願発明の実施の形態にかかる空気清浄機の分解縦断面図である。
【図３】本願発明の実施の形態にかかる空気清浄機におけるフィルタ収納部材の正面図である。
【図４】本願発明の実施の形態にかかる空気清浄機におけるファンを組み付けた状態の本体ケーシングの縦断面図である。
【符号の説明】
１は本体ケーシング、１ａは前面部材、１ｂは背面板、２はファン（遠心ファン）、３は空気吸込口、４は空気吹出口、５は空気通路、６はフィルタ、７はフィルタ収納部材、２０はファンロータ、２１はファンケーシング、２１ａは吸込口、２１ｂは吐出口、３１はファンモータ、３７は吹出口キャップ。
【図１】
2004211990.tif 000003
【図２】
2004211990.tif 000004
【図３】
2004211990.tif 000005
【図４】
2004211990.tif 000006